(57)【要約】      （修正有）【課題】カメラにケースを着せた状態でも撮影ができるカメラ用速写ケースを提供する。【解決手段】カメラの下端に装着される底面と、該底面の上部に突出形成されてカメラの表面を囲むように形成されるカバー面２００と、底面をカメラ下端の締結ソケットに締めて固定するための絞り手段を含み、底面がカメラの下端に密着される第１支台１２０と絞り手段を内蔵して組立てるための第２支台１４０で構成されるようにして、絞り手段は第１支台１２０と第２支台１４０との間に位置するように絞りボルト３２０を装着して、絞りボルト３２０が第１支台１２０を貫通して上部に露出されるボルト部３２２と、第２支台１４０の下部に露出されるソケット部と、第２支台１４０の側面に露出されて絞りボルト３２０を回転操作するための回転板部３２６を含んで構成される。【選択図】図２
0003203532.tif 000002
【実用新案登録請求の範囲】
【請求項１】
カメラの下端に装着される底面１００と、該底面１００の上部に突出形成されてカメラの表面を囲むように形成されるカバー面２００と、底面１００をカメラ下端の締結ソケットに締めて固定するための絞り手段３００を含んで構成されるカメラ用速写ケースにおいて、
前記底面１００はカメラの下端に密着される第１支台１２０と絞り手段３００を内蔵して組立てるための第２支台１４０で構成されて、
前記第１支台１２０は締結溝１２２が形成されて前記第２支台１４０には締結溝１２２に挟んで組立される締結突起１４２が形成されて強制差込で組立されて、
前記絞り手段３００は第１支台１２０と第２支台１４０との間に位置するように絞りボルト３２０が装着されて、
前記絞りボルト３２０は第１支台１２０を貫通して上部に露出されるボルト部３２２と、第２支台１４０の下部に露出されるソケット部３２４と、第２支台１４０の側面に露出されて絞りボルト３２０を回転操作するための回転板部３２６を含んで構成されることを特徴とするカメラ用速写ケース。
【請求項２】
前記カバー面２００は皮または合成皮革でなされて第１支台１２０の下端を囲むように接着されて、前記第１支台１２０と第２支台１４０との間に挿入されて絞りボルト３２０の回転板部３２６がカバー面２００に直接摩擦されないようにするための補助板１６０をさらに含んで構成されることを特徴とする請求項１に記載のカメラ用速写ケース。
【請求項３】
前記第２支台１４０には流動防止壁１４４が形成されて前記補助板１６０には流動防止壁１４４が密着されるように貫通組立される打孔部１６４が形成されて
第１支台１２０と第２支台１４０と補助板１６０が組立された状態で側面流動を防止するようになることを特徴とする請求項２に記載のカメラ用速写ケース。
【請求項４】
前記補助板１６０は第２支台１４０に挿入されて露出される絞りボルト３２０の回転板部３２６を隠すための隠し部１６２をさらに含んで構成されることを特徴とする請求項２に記載のカメラ用速写ケース。
【請求項５】
前記第１支台１２０は前方から後方に徐々に高さが低くなるように形成されながら第２支台１４０は前方から後方に徐々に高さが高くなるように形成されて第１支台１２０と第２支台１４０が組立された状態で前、後方高さが水平をなすように装着されて、
前記第２支台１４０はケースの後方側に絞りボルト３２０の回転板部３２６が露出されるようにするための切開部１４２が形成され、回転板部３２６の回転操作が容易になされることを特徴とする請求項１に記載のカメラ用速写ケース。
【考案の詳細な説明】
【技術分野】
【０００１】
本考案は、カメラにケースを着せた状態でも撮影ができるカメラ用速写ケースに関するものであり、カメラとケースを締結するための手段とケースと三角台を締結するための手段が単数部品でなされてカメラとケースと三角台が簡単な構造で脱付着されるようにしたものである。
【背景技術】
【０００２】
速写ケースは小型カメラを入れて持って歩きながらカメラを毎度取り出さなくてケースのふただけ開放して撮影ができるようにするケースを言う。
【０００３】
従来のカメラケースは、小型かばんの形態でなされていて単純にカメラを保管して携帯する用途のみで使ったが、このようなケースにカメラを入れて携帯すれば、写真を撮影するためにカメラをかばんから取り出した後撮影をしなければならなかった。
【０００４】
ところで、写真撮影をする時は一カットだけを撮影する場合がほとんどなくてカメラを持って歩きながら多くのカットを続いて撮影する場合の多いが、この場合カメラを保護するに値する適当な手段がなかった。
【０００５】
したがって、最近にはカメラの外観でレンズ部位と操作部位などを除いた残りの部分を囲む形態でなされた速写ケースが提案されて使われている。
【０００６】
そして、カメラに速写ケースを装着した状態でも三角台に締結して使用することができるように速写ケースの下端には三角台締結ソケットを設けている。
【０００７】
しかし、現在使われる速写ケースは、カメラとケースを組立てるための絞りボルトと締結ソケットが別に具備されるので、ケースを製作する時に組立性が非常に落ちる。
【０００８】
また、速写ケースは美観を秀麗にさせながらも高級さのために表面が皮で製作される場合が大部分であるが、皮のような材質は伸縮性があるために組立構造上絞りボルトが堅く固定されないので、流動が発生して不安定である。
【０００９】
特に、小型カメラに合うようにケースを製作する場合にはケースをカメラに締結するための絞りナットも大きく製作することができないために、非常に小型でなされるので、操作部位がほとんど露出されないし操作に困難が多くて、反対に操作部位を大きく形成する場合ケースの美観を害するようになる問題がある。
【先行技術文献】
【特許文献】
【００１０】
【特許文献１】韓国登録実用新案第２０−０４６０５９７号
【特許文献２】韓国登録実用新案第２０−０４６２０８３号
【特許文献３】韓国登録実用新案第２０−０４７０１２０号
【考案の概要】
【考案が解決しようとする課題】
【００１１】
本考案は前記のような問題点を解決するためのものであり、ケース製作過程で組立性を向上させ、カメラとケースを締結するための操作部位が外部にほとんど露出しないようにして美観を秀麗にさせることは勿論、カメラ締結のための絞り操作が容易であるようにしたものである。
【課題を解決するための手段】
【００１２】
前記目的を達成するための技術的思想としての本考案は、カメラの下端に装着される底面と、該底面の上部に突出形成されてカメラの表面を囲むように形成されるカバー面と、底面をカメラ下端の締結ソケットに締めて固定するための絞り手段を含んで構成されるカメラ用速写ケースにおいて、前記底面はカメラの下端に密着される第１支台と絞り手段を内蔵して組立てるための第２支台で構成されるようにして、前記絞り手段は第１支台と第２支台との間に位置するように絞りボルトを装着して、前記絞りボルトは第１支台を貫通して上部に露出されるボルト部と、第２支台の下部に露出されるソケット部と、第２支台の側面に露出して絞りボルトを回転操作するための回転板部を含んで構成されるようにすることで本考案の目的を達成することができる。
【考案の効果】
【００１３】
本考案によると、カメラを固定するためのボルトと三角台を固定するためのソケットが一体で形成されている単数部品を利用して簡単に組立てて製作することができるので製作が容易であり、カメラとケースと三角台が偏心されないで同一な軸線上で組立がなされるので安定的に支持される。
【００１４】
また、カバーを皮などの締め切り材で製作するにもかかわらずカメラとケースの操作部位がほとんど露出しないので美観が高級にできて製品を高級化することができる。
【００１５】
また、絞りボルトが流動されないで安定的に軸回転をするので、操作が容易でカメラとケースの脱付着及びケースと三角台の脱付着が簡便にできる。
【図面の簡単な説明】
【００１６】
【図１】本考案の速写ケースの外観斜視図である。
【図２】本考案の速写ケースの分解斜視図である。
【図３】本考案の底面の組立構造を示した分解された状態の底面斜視図である。
【図４】本考案の速写ケースの底面斜視図である。
【図５】本考案の使用状態図である。
【図６】本考案の速写ケースの組立構造を示した側断面図である。
【考案を実施するための形態】
【００１７】
以下、添付された図面を参照して本考案を詳しく説明すれば次のようである。
【００１８】
図１乃至図３に示されたようにカメラの下端に装着される底面１００と、該底面１００の上部に突出形成されてカメラの表面を囲むように形成されるカバー面２００と、底面１００をカメラ下端の締結ソケットに締めて固定するための絞り手段３００を含んで構成されるカメラ用速写ケースにおいて、前記底面１００がカメラの下端に密着される第１支台１２０と絞り手段３００を内蔵して組立てるための第２支台１４０で構成されるようにして、前記絞り手段３００は第１支台１２０と第２支台１４０との間に位置するように絞りボルト３２０を装着して、前記絞りボルト３２０が第１支台１２０を貫通して上部に露出されるボルト部３２２と、第２支台１４０の下部に露出されるソケット部３２４と、第２支台１４０の側面に露出されて絞りボルト３２０を回転操作するための回転板部３２６を含んで構成されるようにできる。
【００１９】
前記底面１００はカメラの下端部が置かれる部分として底面１００の形状はカメラの下端部形状と対応されるように形成されて、底面１００のわくに沿って上部に突出されるように形成されたカバー面２００はカメラのレンズと操作部を除いたボディー部分を保護するために外観を囲むように形成される。
【００２０】
カバー面２００は外部衝撃を吸収することができる材質でなされるようにすることが望ましいものであり、ケースの外観を秀麗にさせながらも高級なイメージを有するようにして、これと共に衝撃吸収がなされるようにするために望ましくは、皮または合成皮革で製作することができる。
【００２１】
そして、カバー面２００には使用者がカメラを撮影する時カメラを安定された状態で取ることができるように前方に突出されるようにグリップ部が形成されることができる。
【００２２】
この時、前記カバー面２００は底面１００の側面に接着するか、または底面１００の下端を囲むように装着することができるし、図６に示されたようにカバー面２００の下端が第１支台１２０の下端わく部分を囲むように接着すれば、底面１００とカバー面２００が任意に分離されないで接着された状態を堅固に維持することができる。
【００２３】
また、前記第１支台１２０と第２支台１４０との間には第１支台１２０と第２支台１４０が組立された状態で遊隙が発生しないで堅く組立されるようにするために補助板１６０がさらに具備されることができる。
【００２４】
また、カバー面２００を衝撃が吸収されることができるようにある程度緩衝がなされる材質で製作する場合カバー面２００と絞り手段３００が補助板１６０によって隔離されて直接摩擦されなくなる。
【００２５】
すなわち、絞り手段３００を構成する絞りボルト３２０は、第１支台１２０と第２支台１４０との間に組立されるものであり、衝撃吸収のために伸縮性があるカバー面２００を第１支台１２０の下端部を囲むように接着すれば、絞りボルト３２０の回転板部３２６上面がカバー面２００に直接触れ合うようになりながら、絞りボルト３２０の回転時に障害要素になるが、補助板１６０によってカバー面２００と絞りボルト３２０が隔離されるようにすることで絞りボルト３２０の回転が円滑になされるようになる。
【００２６】
この時、絞りボルト３２０は上述したようにボルト部３２２とソケット部３２４と回転板部３２６を含んで構成される。
【００２７】
絞りボルト３２０のボルト部３２２は、速写ケースをカメラに締結するための構造として第１支台１２０を貫通して上部にボルト部３２２が露出された状態でカメラ下端の三角台ソケットにボルト締結して組立される。
【００２８】
ソケット部３２４はカメラに速写ケースを着せた状態でも三角台のプレートにカメラを締結できるようにするためのものであり、絞りボルト３２０の下端に内入されるように螺旋部が形成されて三角台に締結することができるようになる。
【００２９】
回転板部３２６は使用者が絞りボルト３２０を締めるか、または解く時に回転操作する部分であり、円形板でなされ、その側面が底面１００の側方向に露出するように装着されることができる。
【００３０】
そして、回転板部３２６のわくには使用者が回転板部３２６を利用して絞りボルトを回転操作する時に指が滑らないで回転操作時に摩擦力を向上させて回転操作を容易であるようにするための凹凸部３２８をさらに含んで構成されることができる。
【００３１】
また、絞りボルト３２０の下端にはソケット部３２４のわくが下部側に突出されるように突軸３２５を形成して、第２支台１４０には前記絞りボルト３２０の突軸３２５が挿入されることができるように軸ホール１４５を形成すれば、絞りボルト３２０が回転する時に軸の位置を一定に維持しながら安定的に軸回転がなされるようにできる。
【００３２】
したがって、一つの単数部品にカメラと速写ケースを締結するための手段と回転操作手段及びカメラを三角台に締結する手段が具備されるので、速写ケースの構造が簡単になされるようにできて、製作工程を最小化することができる。
【００３３】
一方、前記第１支台１２０と第２支台１４０との組立は接着剤を利用して接着するか、または第１支台１２０と第２支台１４０が雌、雄構造で挟んで組立されるようにできて、望ましくは、図２及び図３に示されたように第１支台１２０に締結溝１２２を形成して、第２支台１４０には締結溝１２２に挟んで組立される締結突起１４２を形成して、強制差込で組立がなされるようにできる。
【００３４】
この時、前記第１支台１２０の上面には覆板１８０を重ね被せて仕切ることで第１支台１２０が組立される部分が外部に露出されないようにすることが望ましいものであり、覆板１８０の材質はカバー面２００の材質と同一な材質で製作して締め切りを秀麗にさせながらも統一性あるデザインを具現することができる。
【００３５】
また、第１支台１２０と第２支台１４０との間に補助板１６０をさらに具備する場合前記第２支台１４０に流動防止壁１４４を形成して、補助板１６０には流動防止壁１４４に密着されるように貫通組立される打孔部１６４を形成すれば、第１支台１２０と第２支台１４０と補助板１６０が堅固に組立された状態を維持すると共に組立された状態で側面流動を防止することができる。
【００３６】
また、前記補助板１６０は第２支台１４０に挿入されて、側面で露出あされる絞りボルト３２０の回転板部３２６を隠すための隠し部１６２をさらに含んで構成されることができる。
【００３７】
すなわち、カメラを保護すると共にカメラが高級な美観を有するようにするための速写ケースに締結部位が外部に露出される場合商品価値を落として美観を阻害する恐れがあるために、絞りボルト３２０の回転板部３２６が一部だけ外部に露出されるようにすることが望ましくて、さらに望ましくは、カメラの操作部が位置した後方側に露出されるようにすることが望ましい。
【００３８】
この時、前記絞りボルト３２０が視野に露出されることを最小化するために補助板１６０の後方に隠し部１６２を延長形成すれば、隠し部１６２によって絞りボルト３２０の回転板部３２６が隠されて美観が秀麗にできる。
【００３９】
併せて、前記第１支台１２０は図６に示されたように前方から後方に徐々に高さが低くなるように形成して、第２支台１４０は前方から後方に徐々に高さが高くなるように形成して第１支台１２０と第２支台１４０が組立された状態で前、後方高さが水平をなすように装着すれば、第２支台１４０に形成された切開部１４６を通じて露出された回転板部３２６の操作空間を最大限確保することができる。
【００４０】
したがって、回転板部３２６の大きさを小型で製作するにもかかわらず絞りボルト３２０の回転操作が容易になる。
【００４１】
また、前記第１支台１２０と第２支台１４０との間に組立される補助板１６０には回転板部３２６が内入されるように内入部１６６を形成して、その内入部１６６は絞りボルト３２０が水平に締結されるように傾斜面１６８を形成することができる。
【符号の説明】
【００４２】
１００  底面
１２０  第１支台
１２２  締結溝
１４０  第２支台
１４２  締結突起
１４４  流動防止壁
１４５  軸ホール
１４６  切開部
１６０  補助板
１６２  隠し部
１６４  打孔部
１６６  内入部
１６８  傾斜面
１８０  覆板
２００  カバー面
３００  絞り手段
３２０  絞りボルト
３２２  ボルト部
３２４  ソケット部
３２５  突軸
３２６  回転板部
【図１】
0003203532.tif 000003
【図２】
0003203532.tif 000004
【図３】
0003203532.tif 000005
【図４】
0003203532.tif 000006
【図５】
0003203532.tif 000007
【図６】
0003203532.tif 000008